(57)【特許請求の範囲】
【請求項１】
コンピュータを、絵本の世界観に合わせた絵本風のフォトブックを作成する端末として機能させるためのフォトブック作成プログラムであって、
前記コンピュータを、
前記絵本の絵柄の上に１つ以上の画像挿入枠がレイアウトされた前記フォトブックのテンプレートを取得する取得手段、
ユーザの複数の画像データを記憶する記憶手段、
前記テンプレートの前記画像挿入枠に、前記画像データを挿入する挿入手段、
前記画像データが挿入されなかった前記画像挿入枠を前記テンプレートから削除して、編集後レイアウトデータを生成する生成手段、
前記編集後レイアウトデータを印刷データに変換する手段、
として機能させ、
前記挿入手段は、前記画像挿入枠に、前記画像データを所定の順番で自動で挿入することを特徴とするフォトブック作成プログラム。
【請求項２】
前記絵柄の付された前記フォトブックの前記テンプレートは、１冊又は複数の絵本から作成されたものである
ことを特徴とする請求項１に記載のフォトブック作成プログラム。
【請求項３】
前記所定の順番は、前記画像データから算出されたスコアの高い順である
ことを特徴とする請求項１又は請求項２に記載のフォトブック作成プログラム。
【請求項４】
前記テンプレートには、更に、文字入力枠がレイアウトされており、
前記テンプレートの前記文字入力枠に文字を入力する手段、として更に機能させ、
前記生成手段は、更に、前記文字が入力されなかった前記文字入力枠を前記テンプレートから削除する
ことを特徴とする請求項１乃至請求項３のいずれかに記載のフォトブック作成プログラム。
【請求項５】
前記テンプレートは、更に、前記絵柄に関する物語のテキストを含んでおり、
テキストを入力するための入力フォームを表示して、テキストを入力する手段、として更に機能させ、
前記生成手段は、更に、前記物語のテキストの前記入力フォームに対応する部分を、入力された前記テキストに置き換える
ことを特徴とする請求項１乃至請求項４のいずれかに記載のフォトブック作成プログラム。
【請求項６】
前記印刷データを印刷させてフォトブックを生成する手段、
として更に機能させることを特徴とする請求項１乃至請求項５のいずれかに記載のフォトブック作成プログラム。
【請求項７】
絵本の世界観に合わせた絵本風のフォトブックを作成する端末であって、
前記絵本の絵柄の上に１つ以上の画像挿入枠がレイアウトされた前記フォトブックのテンプレートを取得する取得手段と、
ユーザの複数の画像データを記憶する記憶手段と、
前記テンプレートの前記画像挿入枠に、前記画像データを挿入する挿入手段と、
前記画像データが挿入されなかった前記画像挿入枠を前記テンプレートから削除して、編集後レイアウトデータを生成する生成手段と、
前記編集後レイアウトデータを印刷データに変換する手段と、
を備え、
前記挿入手段は、前記画像挿入枠に、前記画像データを所定の順番で自動で挿入することを特徴とする端末。
【請求項８】
絵本の世界観に合わせた絵本風のフォトブックを作成する端末で実行される編集方法であって、
前記絵本の絵柄の上に１つ以上の画像挿入枠がレイアウトされた前記フォトブックのテンプレートを取得する取得ステップと、
ユーザの複数の画像データを記憶する記憶ステップと、
前記テンプレートの前記画像挿入枠に、前記画像データを挿入する挿入ステップと、
前記画像データが挿入されなかった前記画像挿入枠を前記テンプレートから削除して、編集後レイアウトデータを生成する生成ステップと、
前記編集後レイアウトデータを印刷データに変換するステップと、
を含み、
前記挿入ステップは、前記画像挿入枠に、前記画像データを所定の順番で自動で挿入することを特徴とする編集方法。
【請求項９】
絵本の世界観に合わせた絵本風のフォトブックを製造するフォトブック製造方法であって、
前記絵本の絵柄の上に１つ以上の画像挿入枠がレイアウトされた前記フォトブックのテンプレートを取得する取得工程と、
ユーザの複数の画像データを記憶する記憶工程と、
前記テンプレートの前記画像挿入枠に、前記画像データを挿入する挿入工程と、
前記画像データが挿入されなかった前記画像挿入枠を前記テンプレートから削除して、編集後レイアウトデータを生成する生成工程と、
前記編集後レイアウトデータを印刷データに変換する変換工程と、
前記印刷データを印刷して印刷物とする印刷工程と、
前記印刷物を製本してフォトブックとする製本工程と、
を含み、
前記挿入工程は、前記画像挿入枠に、前記画像データを所定の順番で自動で挿入することを特徴とするフォトブック製造方法。
【請求項１０】
コンピュータを、絵本の世界観に合わせた絵本風のフォトブックを作成するユーザ端末として機能させ、コンピュータを、ネットワークを介して接続されたフォトブック作成端末として機能させるための、フォトブック作成システムのプログラムであって、
前記ユーザ端末のコンピュータを、
前記絵本の絵柄の上に１つ以上の画像挿入枠がレイアウトされた前記フォトブックのテンプレートを取得する取得手段、
ユーザの複数の画像データを記憶する記憶手段、
前記テンプレートの前記画像挿入枠に、前記画像データを挿入する挿入手段、
前記画像データが挿入されなかった前記画像挿入枠を前記テンプレートから削除して、編集後レイアウトデータを生成する生成手段、
として機能させ、
前記挿入手段は、前記画像挿入枠に、前記画像データを所定の順番で自動で挿入し、
前記フォトブック作成端末のコンピュータを、
前記編集後レイアウトデータを印刷データに変換する手段、
前記印刷データを印刷させてフォトブックを生成する手段、
として機能させるためのフォトブック作成システムのプログラム。
【請求項１１】
絵本の世界観に合わせた絵本風のフォトブックを作成するユーザ端末と、フォトブック作成端末とがネットワークを介して接続されたフォトブック作成システムであって、
前記ユーザ端末は、
前記絵本の絵柄の上に１つ以上の画像挿入枠がレイアウトされた前記フォトブックのテンプレートを取得する取得手段と、
ユーザの複数の画像データを記憶する記憶手段と、
前記テンプレートの前記画像挿入枠に、前記画像データを挿入する挿入手段と、
前記画像データが挿入されなかった前記画像挿入枠を前記テンプレートから削除して、編集後レイアウトデータを生成する生成手段と、
を備え、
前記挿入手段は、前記画像挿入枠に、前記画像データを所定の順番で自動で挿入し、
前記フォトブック作成端末は、
前記編集後レイアウトデータを印刷データに変換する手段と、
前記印刷データを印刷してフォトブックを生成する手段と、
を備えることを特徴とするフォトブック作成システム。
【発明の詳細な説明】
【技術分野】
【０００１】
本発明は、フォトブックを作成する技術に関し、特に、絵本と画像とを組み合わせたフォトブックを作成する技術に関する。
【背景技術】
【０００２】
近年、利用者が所有する画像データの印刷を行う画像印刷システムが広く普及している。利用者は、画像印刷システムを操作することにより、デジタルカメラ等で撮影した画像データを印刷したり、複数の画像データがレイアウトされたフォトブックを手軽に作成することができる。
【０００３】
例えば、特許文献１には、複数の画像データを用いて、登場人物の露出度が同じになるように自動レイアウトを行って、フォトブックを作成する印刷システムの発明が開示されている。
【先行技術文献】
【特許文献】
【０００４】
【特許文献１】特開２０１３−１０９４７２号公報
【発明の概要】
【発明が解決しようとする課題】
【０００５】
一般に、フォトブック作成には、簡単に編集作業することが可能な編集ツールが用意されているものの、画像配置、画像サイズ、画像点数等、全体のバランスを考慮しながら、自分好みの作品を仕上げることは、容易ではないという課題があった。
【０００６】
また、特許文献１に係る発明においても、自動でレイアウトが行えるのみで、フォトブック自体を自分の好みの作品、例えば、絵本風に仕上げることはできないという課題があった。
【０００７】
本発明は、前述した問題点に鑑みてなされたもので、その目的とすることは、絵本風のテンプレートを用意し、絵本の世界観に合わせたレイアウトでオリジナルのフォトブックを作成することが可能なフォトブック作成プログラム等を提供することである。
【課題を解決するための手段】
【０００８】
前述した目的を達成するために、コンピュータを、絵本の世界観に合わせた絵本風のフォトブックを作成する端末として機能させるためのフォトブック作成プログラムであって、前記コンピュータを、前記絵本の絵柄の上に１つ以上の画像挿入枠がレイアウトされた前記フォトブックのテンプレートを取得する取得手段、ユーザの複数の画像データを記憶する記憶手段、前記テンプレートの前記画像挿入枠に、前記画像データを挿入する挿入手段、前記画像データが挿入されなかった前記画像挿入枠を前記テンプレートから削除して、編集後レイアウトデータを生成する生成手段、前記編集後レイアウトデータを印刷データに変換する手段、として機能させ、前記挿入手段は、前記画像挿入枠に、前記画像データを所定の順番で自動で挿入することを特徴とするフォトブック作成プログラムである。
第１の発明によって、画像挿入枠に画像データを挿入することで、絵柄と一体となったフォトブックを作成するためのテンプレートを編集することができ、ひいては、絵柄と一体となったフォトブックを作成することができる。また、選択された画像データが少ない場合にも、画像挿入枠を削除することで、違和感のないフォトブックを作成することができる。また、ユーザは画像データの配置や枚数を考えなくても、手軽にテンプレートを編集し、フォトブックを作成することができる。
【０００９】
前記絵柄の付された前記フォトブックの前記テンプレートは、１冊又は複数の絵本から作成されたものであることが望ましい。
これにより、テンプレートから絵本を作成した際に、絵本の登場人物になったようなオリジナルの絵本風フォトブックを作成することができる。
【００１０】
前記所定の順番は、前記画像データから算出されたスコアの高い順であることが望ましい。
これにより、スコアの高い画像データから順にフォトブックに用いることができるため、自動により適切なフォトブックを作成することができる。
【００１１】
前記テンプレートには、更に、文字入力枠がレイアウトされており、前記テンプレートの前記文字入力枠に文字を入力する手段、として更に機能させ、前記生成手段は、更に、前記文字が入力されなかった前記文字入力枠を前記テンプレートから削除することが望ましい。
これにより、絵本の世界観に合わせたレイアウトで好きなコメントも入力することができる。
【００１２】
前記テンプレートは、更に、前記絵柄に関する物語のテキストを含んでおり、テキストを入力するための入力フォームを表示して、テキストを入力する手段、として更に機能させ、前記生成手段は、更に、前記物語のテキストの前記入力フォームに対応する部分を、入力された前記テキストに置き換えることが望ましい。
これにより、絵柄に関する物語を、ユーザの好みの名前等を用いて作成することができる。
【００１３】
前記印刷データを印刷させてフォトブックを生成する手段、として更に機能させることが望ましい。
これにより、絵本フォトブックを作成することができる。
【００１４】
第２の発明は、絵本の世界観に合わせた絵本風のフォトブックを作成する端末であって、前記絵本の絵柄の上に１つ以上の画像挿入枠がレイアウトされた前記フォトブックのテンプレートを取得する取得手段と、ユーザの複数の画像データを記憶する記憶手段と、前記テンプレートの前記画像挿入枠に、前記画像データを挿入する挿入手段と、前記画像データが挿入されなかった前記画像挿入枠を前記テンプレートから削除して、編集後レイアウトデータを生成する生成手段と、前記編集後レイアウトデータを印刷データに変換する手段と、を備え、前記挿入手段は、前記画像挿入枠に、前記画像データを所定の順番で自動で挿入することを特徴とする端末である。
第２の発明によって、画像挿入枠に画像データを挿入することで、絵柄と一体となったフォトブックを作成するためのテンプレートを編集することができ、ひいては、絵柄と一体となったフォトブックを作成することができる。また、選択された画像データが少ない場合にも、画像挿入枠を削除することで、違和感のないフォトブックを作成することができる。また、ユーザは画像データの配置や枚数を考えなくても、手軽にテンプレートを編集し、フォトブックを作成することができる。
【００１５】
第３の発明は、絵本の世界観に合わせた絵本風のフォトブックを作成する端末で実行される編集方法であって、前記絵本の絵柄の上に１つ以上の画像挿入枠がレイアウトされた前記フォトブックのテンプレートを取得する取得ステップと、ユーザの複数の画像データを記憶する記憶ステップと、前記テンプレートの前記画像挿入枠に、前記画像データを挿入する挿入ステップと、前記画像データが挿入されなかった前記画像挿入枠を前記テンプレートから削除して、編集後レイアウトデータを生成する生成ステップと、前記編集後レイアウトデータを印刷データに変換するステップと、を含み、前記挿入ステップは、前記画像挿入枠に、前記画像データを所定の順番で自動で挿入することを特徴とする編集方法である。
第３の発明によって、画像挿入枠に画像データを挿入することで、絵柄と一体となったフォトブックを作成するためのテンプレートを編集することができ、ひいては、絵柄と一体となったフォトブックを作成することができる。また、選択された画像データが少ない場合にも、画像挿入枠を削除することで、違和感のないフォトブックを作成することができる。また、ユーザは画像データの配置や枚数を考えなくても、手軽にテンプレートを編集し、フォトブックを作成することができる。
【００１６】
第４の発明は、絵本の世界観に合わせた絵本風のフォトブックを製造するフォトブック製造方法であって、前記絵本の絵柄の上に１つ以上の画像挿入枠がレイアウトされた前記フォトブックのテンプレートを取得する取得工程と、ユーザの複数の画像データを記憶する記憶工程と、前記テンプレートの前記画像挿入枠に、前記画像データを挿入する挿入工程と、前記画像データが挿入されなかった前記画像挿入枠を前記テンプレートから削除して、編集後レイアウトデータを生成する生成工程と、前記編集後レイアウトデータを印刷データに変換する変換工程と、前記印刷データを印刷して印刷物とする印刷工程と、前記印刷物を製本してフォトブックとする製本工程と、を含み、前記挿入工程は、前記画像挿入枠に、前記画像データを所定の順番で自動で挿入することを特徴とするフォトブック製造方法である。
第４の発明によって、画像挿入枠に画像データを挿入することで、絵柄と一体となったフォトブックのテンプレートを編集することができ、絵柄と一体となったフォトブックを製造することができる。また、選択された画像データが少ない場合にも、画像挿入枠を削除することで、違和感のないフォトブックを製造することができる。また、ユーザは画像データの配置や枚数を考えなくても、手軽にテンプレートを編集し、フォトブックを作成することができる。
【００１７】
第５の発明は、コンピュータを、絵本の世界観に合わせた絵本風のフォトブックを作成するユーザ端末として機能させ、コンピュータを、ネットワークを介して接続されたフォトブック作成端末として機能させるための、フォトブック作成システムのプログラムであって、前記ユーザ端末のコンピュータを、前記絵本の絵柄の上に１つ以上の画像挿入枠がレイアウトされた前記フォトブックのテンプレートを取得する取得手段、ユーザの複数の画像データを記憶する記憶手段、前記テンプレートの前記画像挿入枠に、前記画像データを挿入する挿入手段、前記画像データが挿入されなかった前記画像挿入枠を前記テンプレートから削除して、編集後レイアウトデータを生成する生成手段、として機能させ、前記挿入手段は、前記画像挿入枠に、前記画像データを所定の順番で自動で挿入し、前記フォトブック作成端末のコンピュータを、前記編集後レイアウトデータを印刷データに変換する手段、前記印刷データを印刷させてフォトブックを生成する手段、として機能させるためのフォトブック作成システムのプログラムである。
第５の発明によって、画像挿入枠に画像データを挿入することで、絵柄と一体となったフォトブックを作成するためのテンプレートを編集することができ、また、絵柄と一体となったフォトブックを作成することができる。また、選択された画像データが少ない場合にも、画像挿入枠を削除することで、違和感のないフォトブックを作成することができる。また、ユーザは画像データの配置や枚数を考えなくても、手軽にテンプレートを編集し、フォトブックを作成することができる。
【００１８】
第６の発明は、絵本の世界観に合わせた絵本風のフォトブックを作成するユーザ端末と、フォトブック作成端末とがネットワークを介して接続されたフォトブック作成システムであって、前記ユーザ端末は、前記絵本の絵柄の上に１つ以上の画像挿入枠がレイアウトされた前記フォトブックのテンプレートを取得する取得手段と、ユーザの複数の画像データを記憶する記憶手段と、前記テンプレートの前記画像挿入枠に、前記画像データを挿入する挿入手段と、前記画像データが挿入されなかった前記画像挿入枠を前記テンプレートから削除して、編集後レイアウトデータを生成する生成手段と、を備え、前記挿入手段は、前記画像挿入枠に、前記画像データを所定の順番で自動で挿入し、前記フォトブック作成端末は、前記編集後レイアウトデータを印刷データに変換する手段と、前記印刷データを印刷してフォトブックを生成する手段と、を備えることを特徴とするフォトブック作成システムである。
第６の発明によって、画像挿入枠に画像データを挿入することで、絵柄と一体となったフォトブックを作成するためのテンプレートを編集することができ、また、絵柄と一体となったフォトブックを作成することができる。また、選択された画像データが少ない場合にも、画像挿入枠を削除することで、違和感のないフォトブックを作成することができる。また、ユーザは画像データの配置や枚数を考えなくても、手軽にテンプレートを編集し、フォトブックを作成することができる。
【発明の効果】
【００１９】
本発明により、ユーザは、予め用意された絵本風のテンプレートを用いて、絵本の世界観に合ったレイアウトで、意匠性のあるフォトブックを作成することが可能となる。
【図面の簡単な説明】
【００２０】
【図１】フォトブック作成システムの構成例を示す図である。
【図２】フォトブック作成端末の外観斜視図である。
【図３】フォトブック作成端末のハードウエアの構成例を示す図である。
【図４】製本機のハードウエアの構成例を示すブロック図である。
【図５】ユーザ端末のハードウエアの構成例を示す図である。
【図６】第１の実施形態に係る絵本風フォトブック作成処理のフローチャートである。
【図７】第1の実施形態に係る絵本風フォトブック作成処理のフローチャート（続き）である。
【図８】テンプレート選択画面の表示例を示す図である。
【図９】画像選択画面の表示例を示す図である。
【図１０】編集画面の表示例を示す図である。
【図１１】編集後の具体例を説明するための図である。
【図１２】編集後の他の具体例を説明するための図である。
【図１３】第２の実施形態に係る絵本風フォトブック作成処理のフローチャートである。
【図１４】第２の実施形態に係る絵本風フォトブック作成処理のフローチャート（続き）である。
【発明を実施するための形態】
【００２１】
以下、図面に基づいて、本発明の実施形態を詳細に説明する。
【００２２】
（フォトブック作成システムの構成）
図１は、本発明の実施形態におけるフォトブック作成システム１の構成例を示す図である。フォトブック作成システム１（１ａ、１ｂ）は、フォトブック作成端末２（２ａ、２ｂ）、ユーザ端末３（３ａ、３ｂ）等から構成される。
【００２３】
図１（ａ）は、店頭等におけるフォトブック作成システム１ａの構成例である。フォトブック作成システム１ａは、フォトブック６を出力するフォトブック作成端末２ａに、ユーザ端末３ａ又は記憶媒体５が接続されることで構成される。
【００２４】
フォトブック作成端末２ａは、店頭等に設置され、ユーザにより接続されるユーザ端末３ａ又は記憶媒体５等から画像データを取得して内部に保持した後、ユーザからフォトブック作成の操作を受け付け、フォトブックデータ（編集後レイアウトデータ）を作成する。そして、フォトブック作成端末２ａは、ユーザから作成したフォトブックデータの印刷注文を受け付けると、印刷及び製本して、フォトブック６として出力する。
【００２５】
フォトブック６は、フォトブック作成端末２のプリンタで、画像データやテキストを含むフォトブックデータを、用紙の片面または両面に印刷し、印刷した用紙を製本して製本物としたものである。
フォトブックデータ（編集後レイアウトデータ）は、画像挿入枠である画像ボックスや文字入力枠である文字ボックスをレイアウトしたテンプレートに対して、ユーザが、画像ボックスに画像データを挿入したり、文字ボックスに文字を入力したりして、作成されるデータである。
【００２６】
テンプレートは、例えば、１冊の絵本等を元に作成された絵本風のテンプレートで、絵本に含まれる絵柄の画像データや、絵本のストーリー（物語）のテキスト等を含んでいるデータである。また、テンプレートは、画像挿入枠である画像ボックスや文字入力枠である文字ボックスを含んでおり、これらの位置のレイアウトや、ページ数は、予め固定されている。絵本風のテンプレートに画像データを挿入したり文字を入力したりすることで、ユーザは、絵本の世界観に合わせた絵本風のフォトブックを作成することができる。なお、テンプレートは、複数の絵本から構成されるシリーズ作品から作成したダイジェスト的なものであってもよい。
【００２７】
ユーザ端末３ａは、例えば、スマートフォン、カメラ付き携帯電話機、タブレット端末、携帯型パーソナルコンピュータ等の携帯型端末である。ユーザは、ユーザ端末３ａの内部に記憶されている画像データを、例えば、Bluetooth（登録商標）、赤外線通信等の通信方法を用いてフォトブック作成端末２ａに転送し、フォトブック作成の際に利用する。
【００２８】
記憶媒体５は、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２９】
図１（ｂ）は、ネットワークを介して接続された端末によるフォトブック作成システム１ｂの構成例である。フォトブック作成システム１ｂは、フォトブック６を出力するフォトブック作成端末２ｂに、ユーザ端末３ｂがネットワーク４を介して接続されることで構成される。
【００３０】
ユーザ端末３ｂは、自宅に設置されるパーソナルコンピュータ等であるが、スマートフォン、カメラ付き携帯電話機、タブレット端末、携帯型パーソナルコンピュータ等の携帯型端末等でもよい。
【００３１】
ユーザ端末３ｂは、フォトブック作成アプリケーションが予めインストールされており、ユーザから、フォトブック作成アプリケーション上で、画像データ等を用いて、フォトブック作成の操作を受け付け、フォトブックデータを作成する。そして、ユーザ端末３ｂは、ユーザから作成したフォトブックデータの注文を受け付けると、作成したフォトブックデータを、ネットワーク４を介して、フォトブック作成端末２ｂへ送信する。
【００３２】
フォトブック作成端末２ｂは、ユーザ端末３ｂから、フォトブックデータを受信し、印刷及び製本して、フォトブック６として出力する。その後、フォトブック作成端末２ｂの操作者は、フォトブック６を、注文したユーザに送付する。
フォトブック６は、フォトブック作成システム１ａに係るフォトブック６と同一である。
フォトブック作成端末２ｂは、詳細は後述するフォトブック作成端末２（２ａ）の機能のうち、フォトブックデータの印刷及び製本だけの機能を有するものであってもよい。なお、印刷・製本機の一例として、フォトブック作成端末２ｂを例示したが、ユーザ端末３ｂからの注文の場合には、印刷・製本機の種類は問わない。大型のオンデマンドプリンタによる印刷や、手作業による製本でもよい。
【００３３】
ネットワーク４は、インターネットやローカルエリアネットワーク（ＬＡＮ）等のネットワークであり、有線、無線は特に問わない。
【００３４】
（フォトブック作成端末の構成）
図２は、本発明の実施形態に係るフォトブック作成端末２の外観斜視図である。
【００３５】
フォトブック作成端末２の上部正面には、タッチパネル付ディスプレイ１１が配置されている。タッチパネル付ディスプレイ１１は、操作の案内、操作の状況、読み込んだ画像データ等を表示するとともに、ユーザからの指示を受け付ける。ユーザは、タッチパネル付ディスプレイ１１を介して、印刷注文する画像データの選択、フォトブックデータの作成（編集）、および画像データの画像処理の指示等を行う。
【００３６】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSBポートなど）が１箇所にまとめて配置されている。
【００３７】
フォトブック作成端末２の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００３８】
レシート取出口１５、硬貨投入口１６、紙幣挿入口１７、つり銭返却口１８は、ユーザによる印刷物の注文内容に応じた入金を要求する課金手段として機能する。ユーザは、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００３９】
印刷物取出口１９には、フォトブック作成端末２の筐体内に設置されるプリンタにより印刷され、内部製本機によって製本された製本物（フォトブック）が排出される。ドア開閉キー２０は、フォトブック作成端末２の前面板１４を開閉するためのキーである。メンテナンスキー２１は、ユーザがフォトブック作成端末２を利用可能な運転モードと、管理者がフォトブック作成端末２のメンテナンスや設定、レシートの再印刷等を行う管理モードを切り替えるためのキーである。
【００４０】
図３は、フォトブック作成端末２のハードウエアの構成例を示すブロック図である。
【００４１】
コンピュータ３０は、制御部３１、記憶部３２、入出力部３３、通信部３４等から構成され、各種メディア読取部４１、通信部４２、モニタ４４、コインメック４５、ビルバリ４６、レシートジャーナル処理部４７、およびプリンタ４８、および製本機５０を制御する。
【００４２】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００４３】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４４】
プログラムのコードは、制御部３１により必要に応じて読み出され、RAMに移され、CPUに読み出されて各種機能として実行される。
【００４５】
入出力部３３は、記憶部３２に格納されているプログラム等の更新や、フォトブック作成端末２の設定等を行うメンテナンス時に用いられる。
【００４６】
通信部３４は、通信制御装置、通信ポート等を有し、フォトブック作成端末２とネットワーク４間の通信を媒介する通信インターフェースである。通信部３４は、ネットワーク４を介してフォトブック作成端末２と他の外部装置間の通信制御を行う。
【００４７】
各種メディア読取部４１は、メディア投入口１２の各メディアの挿入口に対応してフォトブック作成端末２内部に設けられ、挿入された記憶媒体５に予め記憶されている画像データを読み込む。通信部４２は、通信口１３の各通信ポートに対応して設置されており、通信中のユーザ端末３に予め記憶されている画像データを読み込む。モニタ４４は、タッチパネル付ディスプレイ１１である。
【００４８】
コインメック４５、ビルバリ４６、レシートジャーナル処理部４７は、課金機能の役割を果たす。コインメック４５は、硬貨投入口１６に対応してフォトブック作成端末２内部に設けられ、硬貨の入出力を管理する。ビルバリ４６は、紙幣挿入口１７に対応してフォトブック作成端末２内部に設けられ、紙幣の入出力を管理する。
【００４９】
レシートジャーナル処理部４７は、レシート取出口１５に対応してフォトブック作成端末２内部に設けられ、ユーザの徴収金額や注文内容に応じたレシートを印刷する。
【００５０】
プリンタ４８は、印刷物取出口１９に対応してフォトブック作成端末２内部に設けられ、印刷物を印刷する。プリンタ４８は、画像データを印刷する高解像度カラープリンタであり、熱転写プリンタあるいはインクジェット型など、プリンタの方式は特に問わない。印刷する記録媒体は、シート状またはロール状の紙である。
【００５１】
製本機５０は、ローラや搬送路等を有し、プリンタ４８で印刷された印刷物を所定の製本方法で製本し、フォトブック６を作成して出力する。
【００５２】
なお、プリンタ４８は、フォトブック作成端末２内部に設けられ、そこで印刷が行われるが、これに限らず、例えば、通信部３４およびネットワーク４を介して接続されたプリンタサーバに画像データを転送し、そこで印刷を行わせることも可能である。
また、製本機５０も、フォトブック作成端末２内部に設けられ、そこで製本が行われるが、これに限らず、例えば、図示しない搬送路を介して接続された外部の製本機に印刷物を搬送し、そこで製本を行わせるようにしてもよい。
すなわち、フォトブック作成端末２と、プリンタ４８、製本機５０はそれぞれ別体であってもよい。
【００５３】
図４は、製本機５０のハードウエアの構成例を示すブロック図である。
【００５４】
製本機５０は、印刷物を折りたたむ折り機構５１、印刷物をホチキスや製本テープ、背表紙、糊等で綴じる綴じ機構５２、印刷物を化粧断裁する裁断機構５３等を備えるものを用いることができる。これらの機構としては、既知のものを使用できる。フォトブックの製本方法の詳細については、例えば、特開２０１０−１３７５６４号公報等に記載されている通り公知の技術である。
【００５５】
（ユーザ端末の構成）
図５は、本発明の実施形態に係るユーザ端末３のハードウェアの構成例を示す図である。尚、図５のハードウェア構成は一例であり、用途、目的に応じて様々な構成を採ることが可能である。
【００５６】
ユーザ端末３は、制御部６１、記憶部６２、メディア入出力部６３、通信制御部６４、入力部６５、表示部６６、周辺機器Ｉ／Ｆ部６７等が、バス６８を介して接続される。
【００５７】
制御部６１は、CPU、ROM、RAM等で構成される。CPUは、記憶部６２、ROM、記録媒体等に格納されるプログラムをRAM上のワークメモリ領域に呼び出して実行し、バス６８を介して接続された各装置を駆動制御し、ユーザ端末３が行う後述する処理を実現する。ROMは、不揮発性メモリであり、ユーザ端末３のブートプログラムやBIOS（Basic Input/Output System）等のプログラム、データ等を恒久的に保持している。RAMは、揮発性メモリであり、記憶部６２、ROM、記録媒体等からロードしたプログラム、データ等を一時的に保持するとともに、制御部６１が各種処理を行う為に使用するワークエリアを備える。
【００５８】
記憶部６２は、HDD（Hard Disk Drive）等であり、制御部６１が実行するプログラム、プログラム実行に必要なデータ、OS等が格納される。プログラムに関しては、OSに相当する制御プログラムや、後述する処理をユーザ端末３に実行させるためのアプリケーションプログラムが格納されている。これらの各プログラムコードは、制御部６１により必要に応じて読み出されてRAMに移され、CPUに読み出されて各種の手段として実行される。
【００５９】
メディア入出力部６３（ドライブ装置）は、データの入出力を行い、例えば、CDドライブ（−ROM、−Ｒ、−ＲＷ等）、DVDドライブ（−ROM、−Ｒ、−ＲＷ等）等のメディア入出力装置を有する。
【００６０】
通信制御部６４は、通信制御装置、通信ポート等を有し、ユーザ端末３とネットワーク４間の通信を媒介する通信インターフェイスであり、ネットワーク４を介して、他の装置間との通信制御を行う。
【００６１】
入力部６５は、データの入力を行い、例えば、キーボード、マウス等のポインティングデバイス、テンキー等の入力装置を有する。入力部６５を介して、ユーザ端末３に対して、操作指示、動作指示、データ入力等を行うことができる。
【００６２】
表示部６６は、CRTモニタ、液晶パネル等のディスプレイ装置、ディスプレイ装置と連携してユーザ端末３のビデオ機能を実現するための論理回路等（ビデオアダプタ等）を有する。
【００６３】
周辺機器Ｉ／Ｆ（インターフェイス）部６７は、ユーザ端末３に周辺機器を接続させるためのポートであり、周辺機器Ｉ／Ｆ部６７を介してユーザ端末３は周辺機器とのデータの送受信を行う。周辺機器Ｉ／Ｆ部６７は、USBやIEEE（The
Institute of Electrical and Electronics Engineers）１３９４やＲＳ−２３５Ｃ等で構成されており、通常複数の周辺機器Ｉ／Ｆを有する。周辺機器との接続形態は有線、無線を問わない。
バス６８は、各装置間の制御信号、データ信号等の授受を媒介する経路である。
【００６４】
［第１の実施形態に係る絵本風フォトブック作成処理］
次に、図６及び図７のフローチャートを参照して、第１の実施形態に係る絵本風フォトブック作成処理について説明する。また、図８〜図１０の表示画面についても合わせて説明する。これは、図１（ａ）のフォトブック作成システム１ａの構成例に相当するものである。
【００６５】
ステップＳ１において、フォトブック作成端末２ａの制御部３１は、タッチパネル付ディスプレイ１１（モニタ４４）に絵本風フォトブックのテンプレートのテンプレート選択画面１００を表示させる。テンプレートは、フォトブック作成端末２ａの記憶部３２に記憶されていてもよいし、ネットワーク（図示しない）を介して、他のサーバ等から取得してもよい。
【００６６】
図８は、テンプレート選択画面１００の表示例を示す図である。
【００６７】
図８に示すように、テンプレート選択画面１００には、作成する絵本風フォトブックの表紙のイメージを表わすサムネイル１０１、１０２が表示されている。またサムネイル１０１、１０２の右側には、それぞれ、絵本風フォトブックの本文の出来上がりイメージの一部がサムネイル表示されている。「選択」のボタン１０３、１０４は、作成する絵本風フォトブックのテンプレートを選択する場合に、ユーザによって押下される。「他のテンプレートへ」のボタン１０５は、他のテンプレートの表示画面に切り替える場合に、ユーザによって押下される。
【００６８】
図６の説明に戻る。ステップＳ２において、フォトブック作成端末２ａの制御部３１は、ユーザによる入出力部３３（キーボード）等を用いた操作により、テンプレート選択画面１００でテンプレートが選択されたことを検知する。
ステップＳ３において、フォトブック作成端末２ａの制御部３１は、タッチパネル付ディスプレイ１１（モニタ４４）に画像選択画面１１０を表示させる。
【００６９】
図９は、画像選択画面１１０の表示例を示す図である。
【００７０】
図９に示すように、画像選択画面１１０には、ユーザ端末３ａまたは記憶媒体５に記憶されている画像データが読み込まれ、画像Ｐ１〜Ｐ５として一覧表示されている。各画像の下方には、画像を選択するためのチェックボックス１１１〜１１５が表示されている。「戻る」のボタン１１６は、前画面（図８）の表示に切り替える場合に、ユーザによって押下される。「アップロード」のボタン１１７は、チェックボックス１１１〜１１５にチェックが入れられた画像データを、フォトブック作成端末２ａの記憶部３２にアップロードする場合に、ユーザによって押下される。
【００７１】
図６の説明に戻る。ステップＳ４において、フォトブック作成端末２ａの制御部３１は、画像選択画面１１０でアップロードする画像データが選択されたことを検知する。
ステップＳ５において、フォトブック作成端末２ａの制御部３１は、通信部３４または各種メディア読取部４１を介し、ステップＳ４の処理で選択が検知された画像データをアップロードし、記憶部３２に記憶させる。
【００７２】
ステップＳ６において、フォトブック作成端末２ａの制御部３１は、タッチパネル付ディスプレイ１１（モニタ４４）に編集画面１２０を表示させる。
【００７３】
図１０は、編集画面１２０の表示例を示す図である。
【００７４】
図１０に示すように、編集画面１２０には、画像リスト１２１、本文レイアウトリスト１２２、表紙レイアウトリスト１２３、および編集レイアウト１２４が表示されている。また編集画面１２０には、自動流し込みボタン１３１、前ページボタン１３２、次ページボタン１３３、プレビュボタン１３４、および注文ボタン１３５等も表示されている。
【００７５】
画像リスト１２１には、画像選択画面１１０（図９）でフォトブック作成端末２ａの記憶部３２にアップロードされた画像データがリスト表示されている。
本文レイアウトリスト１２２には、ステップＳ２において選択された絵本風フォトブックのテンプレートの全ページのレイアウトがリスト表示されており、ユーザによっていずれかが選択されると、選択されたページが編集レイアウト１２４に表示される。
【００７６】
表紙レイアウトリスト１２３には、表紙の色が異なる表紙レイアウトがリスト表示されており、ユーザによっていずれかが選択されると、選択された表紙レイアウトの色に変更される。
【００７７】
編集レイアウト１２４には、絵本風フォトブックのテンプレートの見開き１ページ分が、現在編集中のページとして表示されており、文字ボックス１２５、１２６、画像ボックス１２７、１２８がレイアウトされている。初期状態では、テンプレートの先頭ページが表示される。
文字ボックス１２５、１２６は、文字を入力するための文字入力枠であり、画像ボックス１２７、１２８は、画像を挿入するための画像挿入枠である。これらは、編集レイアウト１２４内において、絵本の世界観に合わせて予めレイアウトされており、その枠の大きさやレイアウト位置は固定されている。
【００７８】
自動レイアウトボタン１３１は、画像リスト１２１にある画像データを絵本風フォトブックのテンプレートに自動レイアウトする場合に、ユーザによって押下される。
前ページボタン１３２および次ページボタン１３３は、現在編集中のページである編集レイアウト１２４の前ページまたは次ページを表示する場合に、ユーザによって押下される。
プレビュボタン１３４は、編集した絵本風フォトブックの仕上がりイメージを確認する場合に、ユーザによって押下される。
注文ボタン１３５は、編集した絵本風フォトブックを印刷注文する場合に、ユーザによって押下される。
【００７９】
例えば、ユーザは、編集レイアウト１２４内に配置された文字ボックス１２５に文字を入力したい場合、文字ボックス１２５をマウス等で選択した後、キーボードを用いて文字入力することができる。また、ユーザは、画像ボックス１２８に画像データを挿入したい場合、画像リスト１２１の中から所望の画像データをマウス等で選択し、画像ボックス１２８へドラッグアンドドロップして画像データを挿入することができる。
【００８０】
図７へ移る。ステップＳ７において、フォトブック作成端末２ａの制御部３１は、編集画面１２０で、画像の自動レイアウトが選択されたか否か、つまり、編集画面１２０で自動レイアウトボタン１３１が押下されたか否かを判定する。自動レイアウトが選択されていないと判定した場合（ステップＳ７でＮｏ）、フォトブック作成端末２ａの制御部３１は、ステップＳ８に進む。
【００８１】
ステップＳ８において、フォトブック作成端末２ａの制御部３１は、画像手動配置が行われたか否か、つまり、編集画面１２０で画像リスト１２１の中から画像データが選択され、画像ボックスへドラッグアンドドロップするなどして画像データが挿入されたか否かを判定する。
画像手動配置が行われたと判定した場合（ステップＳ８でＹｅｓ）、フォトブック作成端末２ａの制御部３１は、ステップＳ９に進み、所定の画像ボックスに所定の画像データが挿入されたことを検知する。
一方、画像手動配置が行われていないと判定した場合（ステップＳ８でＮｏ）、フォトブック作成端末２ａの制御部３１は、ステップＳ１０に進む。
【００８２】
ステップＳ１０において、フォトブック作成端末２ａの制御部３１は、文字入力が行われたか否か、つまり、編集画面１２０で文字ボックスが選択され、文字入力が行われたか否かを判定する。
文字入力が行われたと判定した場合（ステップＳ１０でＹｅｓ）、フォトブック作成端末２ａの制御部３１は、ステップＳ１１に進み、文字が入力されたことを検知する。
一方、文字入力が行われていないと判定した場合（ステップＳ１０でＮｏ）、フォトブック作成端末２ａの制御部３１は、ステップＳ１２に進む。
【００８３】
なお、ステップＳ８〜ステップＳ１１の処理は、現在編集中のページに存在する画像ボックス及び文字ボックスに対して、任意回行うことができる。
【００８４】
ステップＳ１２において、フォトブック作成端末２ａの制御部３１は、他のページも編集するか否か、つまり、編集画面１２０で前ページボタン１３２又は次ページボタン１３３が押下されたか否か判定する。
他のページも編集すると判定した場合（ステップＳ１２でＹｅｓ）、フォトブック作成端末２ａの制御部３１は、現在編集中のページを前のページ又は次のページへ変更し、ステップＳ８へ戻り、再度、画像手動配置及び文字入力を行う。
一方、他のページは編集しないと判定した場合（ステップＳ１２でＮｏ）、フォトブック作成端末２ａの制御部３１は、ステップＳ１７へ進む。
【００８５】
一方、ステップＳ７において、自動レイアウトが選択されたと判定した場合（ステップＳ７でＹｅｓ）、フォトブック作成端末２ａの制御部３１は、ステップＳ１３へ進み、自動レイアウトを行う。
【００８６】
フォトブック作成端末２ａの制御部３１が行う自動レイアウト方法には、例えば、以下の方法がある。
１．画像ボックス数と画像データ数が同じ場合には、画像データのアップロード順に最初のページの画像ボックスから順に画像データを挿入する。
２．画像ボックス数より画像データ数が少ない場合には、画像データのアップロード順に、最初のページの画像ボックスから順に挿入するか、画像ボックスに対して等間隔に間を開けて画像データを挿入し、残りの画像ボックスに対しては画像データを挿入しない。
【００８７】
３．各画像ボックスにレイアウト順位を予め決めておき、アップロードされた各画像データのスコアを算出し、高スコア順に画像データを画像ボックスに挿入する。挿入する画像データがなくなったら、以後の画像ボックスには、画像データを挿入しない。
なお、画像データのスコアの算出方法は、公知の顔認識技術を用いて、画像データ中の人物が笑顔かどうかを認識し、どのくらい笑っているかをスコア化する方法や、顔領域にピントが合っているかどうかをスコア化する方法、あるいは、全画像領域における顔の大きさの割合をスコア化する方法がある。
【００８８】
ステップＳ１４において、フォトブック作成端末２ａの制御部３１は、文字入力が行われたか否か、つまり、編集画面１２０で文字ボックスが選択され、文字入力が行われたか否かを判定する。
文字入力が行われたと判定した場合（ステップＳ１４でＹｅｓ）、フォトブック作成端末２ａの制御部３１は、ステップＳ１５に進み、文字が入力されたことを検知する。
一方、文字入力が行われていないと判定した場合（ステップＳ１４でＮｏ）、フォトブック作成端末２ａの制御部３１は、ステップＳ１６に進む。
【００８９】
なお、ステップＳ１４〜ステップＳ１５の処理は、現在編集中のページに存在する文字ボックスに対して、任意回行うことができる。
【００９０】
ステップＳ１６において、フォトブック作成端末２ａの制御部３１は、他のページも編集するか否か、つまり、編集画面１２０で前ページボタン１３２又は次ページボタン１３３が押下されたか否か判定する。
他のページも編集すると判定した場合（ステップＳ１６でＹｅｓ）、フォトブック作成端末２ａの制御部３１は、現在編集中のページを前のページ又は次のページへ変更し、ステップＳ１４へ戻り、再度、文字入力を行う。
一方、他のページは編集しないと判定した場合（ステップＳ１６でＮｏ）、フォトブック作成端末２ａの制御部３１は、ステップＳ１７へ進む。
【００９１】
ステップＳ１７において、フォトブック作成端末２ａの制御部３１は、プレビュー指示がなされたか否か、つまり、編集画面１２０でプレビューボタン１３４が選択されたか否かを判定する。
【００９２】
プレビュー指示がなされたと判定した場合（ステップＳ１７でＹｅｓ）、ステップＳ１８において、フォトブック作成端末２ａの制御部３１は、タッチパネル付ディスプレイ１１（モニタ４４）にレイアウトプレビュー画面（図示せず）を表示させる。
レイアウトプレビュー画面は、絵本風のフォトブックのテンプレートに、挿入された画像データ及び入力された文字を合成して表示したもので、例えば、最初のページから順に所定の時間間隔で切り替えて表示される。
一方、プレビュー指示されていない判定した場合（ステップＳ１７でＮｏ）、フォトブック作成端末２ａの制御部３１は、ステップＳ１９に進む。
【００９３】
ステップＳ１９において、フォトブック作成端末２ａの制御部３１は、印刷指示されたか否か、つまり、編集画面１２０で注文ボタン１３５が選択されたか否かを判定する。
まだ印刷指示されていないと判定した場合（ステップＳ１９でＮｏ）、フォトブック作成端末２ａの制御部３１は、ステップＳ７に戻り、前述した編集処理を繰り返し実行する。
一方、印刷指示されたと判定した場合（ステップＳ１９でＹｅｓ）、フォトブック作成端末２ａの制御部３１は、ステップＳ２０に進む。
【００９４】
ステップＳ２０において、フォトブック作成端末２ａの制御部３１は、まず、絵本風フォトブックのテンプレートのデータに対して、挿入された画像データ及び入力された文字を合成（又はリンク等で参照）した編集後レイアウトデータを生成する。
この際に、画像データが挿入されなかった画像ボックスや文字が入力されなかった文字ボックスは消去され、これらの部分は、予め用意されている絵本風フォトブックのテンプレートの絵柄が表示されたままの状態となる。
次に、フォトブック作成端末２ａの制御部３１は、編集後レイアウトデータを、印刷するプリンタ４８に適した印刷データに変換する。
【００９５】
ステップＳ２１において、フォトブック作成端末２ａの制御部３１は、ステップＳ２０で変換された印刷データをプリンタ４８に送信し、印刷を指示する。そして、印刷された印刷物は、製本機５０に搬送され、所定の製本方法で製本され、印刷物取出口１９から排出され、フォトブック６としてユーザに提供される。
以上で、第１の実施形態に係る絵本風フォトブック作成処理は終了である。
【００９６】
なお、本実施形態は、前述のものに限られずその趣旨を逸脱しない範囲で変更可能である。
例えば、ステップＳ１０、Ｓ１１（ステップＳ１４、Ｓ１５）において、文字ボックスに対して文字を入力する構成としたが、フォトブック作成端末２ｂは、複数の入力フォームから構成される入力画面を表示し、ユーザからのテキスト（文字）の入力を一括して受け付け、入力フォームに対応するテンプレートのテキストの該当箇所に、自動的に入力されたテキストを合成する構成としてもよい。
こうすることにより、テンプレートが絵本のストーリーに対応するテキストを含んでおり、テキスト中の登場人物の名前部分等に入力フォームが対応付けられていると、ユーザは、「主人公の名前」や「ペットの名前」を入力フォームに入力することにより、自動的にテキストの該当箇所が差し替わってストーリーを完成させることができる。
【００９７】
（絵本風フォトブックのテンプレート、及び、編集後のレイアウトの具体例）
次に、図１１及び図１２を用いて、絵本風フォトブックのテンプレートのレイアウトと、画像データの挿入及び文字の入力がなされた編集後のレイアウトの具体例を説明する。
【００９８】
図１１（ａ）は、絵本の世界観に合わせて画像ボックス１４１〜１４５や文字ボックス１４６がレイアウトされた絵本風フォトブックのテンプレートの一例である。雲１５１は、絵本に含まれる絵柄の一部である。
【００９９】
図１１（ｂ）は、図１１（ａ）の絵本風のテンプレートに画像データが挿入され、文字が入力された編集後のレイアウトの一例である。この例では、全ての画像ボックス１４１〜１４５に画像データが挿入され、文字ボックス１４６に「おもいで」の文字が入力されている。絵本の絵柄の一部である雲１５１は、画像ボックス１４３に画像データが挿入されたことによって一部が隠されている。このように、絵本風のテンプレートに画像データを挿入することで、絵本の世界観の中で絵本の登場人物になったようなレイアウトをすることができる。
【０１００】
図１１（ｃ）は、図１１（ａ）の絵本風のテンプレートに画像データが挿入された編集後のレイアウトの別の例である。この例では、画像ボックス１４１、１４４、１４５に画像データが挿入されており、画像データが挿入されなかった画像ボックス１４２、１４３および文字が入力されなかった文字ボックス１４６は消去されている。また、画像ボックス１４３に画像データが挿入されなかったが、絵本の絵柄の一部である雲１５１があることによって、画像データが不足して挿入されなくても、絵本の世界観を損なわず違和感のないレイアウトとなっている。
【０１０１】
図１２（ａ）は、絵本の世界観に合わせて画像ボックス１６１〜１６４や文字ボックス１６５がレイアウトされた絵本風フォトブックのテンプレートの一例である。虹１７１は、絵本に含まれる絵柄の一部である。
【０１０２】
図１２（ｂ）は、図１２（ａ）の絵本風のテンプレートに画像データが挿入された編集後のレイアウトの一例である。この例では、全ての画像ボックス１６１〜１６４に画像データが挿入され、文字ボックス１６５に「こんにちは」の文字が入力されている。絵本の絵柄の一部である虹１７１は、画像ボックス１６１〜１６４に画像データが挿入されたことによって一部が隠されている。このように、絵本風のテンプレートに画像データを挿入することで、絵本の世界観の中で絵本の登場人物になったようなレイアウトをすることができる。
【０１０３】
図１２（ｃ）は、図１２（ａ）の絵本風のテンプレートに画像が挿入された編集後のレイアウトの別の例である。この例では、画像ボックス１６１、１６２に画像データが挿入されており、画像データが挿入されなかった画像ボックス１６３、１６４および文字が入力されなかった文字ボックス１６５は消去されている。また、画像ボックス１６３、１６４に画像データが挿入されなかったが、絵本の絵柄の一部である虹１７１があることによって、画像データが不足して挿入されなくても、絵本の世界観を損なわず違和感のないレイアウトとなっている。
【０１０４】
［第１の実施形態における効果］
以上のように、本実施形態においては、絵本の世界観の中に、自らの撮影した画像データを組み合わせる（レイアウトする）ことで、絵本の登場人物になったようなオリジナルの絵本風フォトブックを作成することができる。
また、絵本風のテンプレートにおいて、画像データを挿入する部分や、文字を入力する部分が予め設定されているため、簡便に絵本風フォトブックを作成することができる。また、自動レイアウトを選択すれば、画像データの配置を考えることなく、簡便に絵本風フォトブックを作成することができる。
また、画像データの数が少ない場合には、画像データが挿入されなかった画像ボックスを消去し、絵本風テンプレートの絵柄が表示されたままの状態にすることで、絵本の世界観を損なわず違和感のない絵本風フォトブックを作成することができる。
さらに、画像ボックスの枠の境界や、画像データに特殊効果（例えば、ブラシ、ぼかし、絵画調等）を組み合わせることも可能である。
【０１０５】
［第２の実施形態に係る絵本風フォトブック作成処理］
次に、図１３及び図１４のフローチャートを参照して、第２の実施形態に係る絵本風フォトブック作成処理について説明する。これは、図１（ｂ）のフォトブック作成システム１ｂの構成例に相当するものである。ユーザ端末３ｂには、予め、フォトブック作成アプリケーションがインストールされているものとする。
【０１０６】
ステップＳ３１〜Ｓ４７は、ユーザ端末３ｂの制御部６１が実行する処理であることを除いて、第１の実施形態（図６及び図７）のステップＳ１〜１８と同一であるので、説明を省略する。ユーザ端末３ｂの表示部６６に表示される画面例も、第１の実施形態のテンプレート選択画面（図８）、画像選択画面（図９）、編集画面（図１０）と同一である。
なお、図１３には、図６のステップＳ５に対応する処理がないが、これは、ユーザ端末３ｂの記憶部６２に記憶されている画像データを用いるためである。
【０１０７】
図１４へ移る。ステップＳ４８において、ユーザ端末３ｂの制御部６１は、注文指示されたか否か、つまり、図１０の編集画面１２０で注文ボタン１３５が選択されたか否かを判定する。
まだ注文指示されていないと判定した場合（ステップＳ４８でＮｏ）、ユーザ端末３ｂの制御部６１は、ステップＳ３６に戻り、編集処理を繰り返し実行する。
一方、注文指示されたと判定した場合（ステップＳ４８でＹｅｓ）、ユーザ端末３ｂの制御部６１は、ステップＳ４９に進む。
【０１０８】
ステップＳ４９において、ユーザ端末３ｂの制御部６１は、絵本風フォトブックのテンプレートのデータに対して、挿入された画像データ及び入力された文字を合成（又はリンク等で参照）した編集後レイアウトデータを生成する。
この際に、画像データが挿入されなかった画像ボックスや文字が入力されなかった文字ボックスは消去され、これらの部分は、予め用意されている絵本風フォトブックのテンプレートの絵柄が表示されたままの状態となる。
そして、ユーザ端末３ｂの制御部６１は、編集後のレイアウトデータを、フォトブック作成端末２ｂへ送信する。
【０１０９】
ステップＳ５０において、フォトブック作成端末２ｂの制御部３１は、編集後のレイアウトデータを受信する。
【０１１０】
ステップＳ５１において、フォトブック作成端末２ｂの制御部３１は、編集後のレイアウトデータを、印刷するプリンタ４８に適した印刷データに変換する。
【０１１１】
ステップＳ５２において、フォトブック作成端末２ｂの制御部３１は、印刷データをプリンタ４８に送信し、印刷を指示する。そして、印刷された印刷物は、製本機５０に搬送され、所定の製本方法で製本され、印刷物取出口１９からフォトブック６として排出される。
【０１１２】
ステップＳ５３において、フォトブック作成端末２ｂの操作者は、フォトブック６を、ユーザ端末３ｂのユーザの住所等に送付する。
以上で、第２の実施形態に係る絵本風フォトブック作成処理は終了である。
【０１１３】
なお、本実施形態は、前述のものに限られずその趣旨を逸脱しない範囲で変更可能である。第１の実施形態で前述した変形例の他に以下のようにしてもよい。
【０１１４】
例えば、フォトブック作成端末２ｂは、最寄りの店頭に設置されているものとし、ユーザ端末３ｂは、当該フォトブック作成端末２ｂに、ユーザより入力されたＩＤ、パスワードでログインし、編集後レイアウトデータを送信してもよい。この場合には、フォトブック作成端末２ｂは、編集後レイアウトデータを保存しておき、後ほどユーザが店頭を訪れてフォトブック作成端末２ｂを操作した際に、データの印刷・製本を行い、フォトブックを出力して、ユーザに提供する。
【０１１５】
また、例えば、ユーザ端末３ｂにインストールするフォトブック作成アプリケーションを、業者のサーバ（図示しない）にインストールしておき、ユーザ端末３ｂから、Ｗｅｂブラウザ等を介してサーバにアクセスし、フォトブック作成の操作を行い、フォトブックの注文を行う構成としてもよい。この場合には、画像データが選択された後（ステップＳ３４の後）に、ユーザ端末３ｂの制御部６１は、選択された画像データを、フォトブック作成端末２ｂへ送信する。
【０１１６】
［第２の実施形態における効果］
第１の実施形態における効果に加えて、自宅等から、絵本風フォトブックを簡便に作成することができる。
【０１１７】
以上、添付図面を参照しながら、本発明に係るフォトブック作成端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１８】
１（１ａ、１ｂ）………………………フォトブック作成システム
２（２ａ、２ｂ）………………………フォトブック作成端末
３（３ａ、３ｂ）………………………ユーザ端末
４…………………………………………ネットワーク
５…………………………………………記憶媒体
６…………………………………………フォトブック
３１、６１………………………………制御部
１００……………………………………テンプレート選択画面
１１０……………………………………画像選択画面
１２０……………………………………編集画面
１４１〜１４５、１６１〜１６４……画像ボックス
１４６、１６５…………………………文字ボックス
【図１】
0006402515.tif 000002
【図２】
0006402515.tif 000003
【図３】
0006402515.tif 000004
【図４】
0006402515.tif 000005
【図５】
0006402515.tif 000006
【図６】
0006402515.tif 000007
【図７】
0006402515.tif 000008
【図８】
0006402515.tif 000009
【図９】
0006402515.tif 000010
【図１０】
0006402515.tif 000011
【図１１】
0006402515.tif 000012
【図１２】
0006402515.tif 000013
【図１３】
0006402515.tif 000014
【図１４】
0006402515.tif 000015